Podtech/llm-jp-corpus-v4-ja_patent huggingface dataset:
【手続補正書】
【提出日】平成16年8月12日(2004.8.12)
【手続補正１】
【補正対象書類名】明細書
【補正対象項目名】特許請求の範囲
【補正方法】変更
【補正の内容】
【特許請求の範囲】
【請求項１】
記憶媒体からのデータの読み出し処理を実行し、エラー訂正処理にて回復可能なコレクタブルエラーを検出する第１ステップと、
前記コレクタブルエラーが検出された前記データの、前記記憶媒体の元の格納位置への上書きを試行する第２ステップと、
を含むことを特徴とする記憶装置の制御方法。
【請求項２】
請求項１記載の記憶装置の制御方法において、
前記記憶装置は、ディスクアレイを構成する冗長構成の複数の磁気ディスク装置の各々であり、
前記第１ステップでは、前記コレクタブルエラーとともに、前記エラー訂正処理にて回復不能なアンコレクタブルエラーも併せて検出し、前記アンコレクタブルエラーが検出された場合には、他の記憶装置に格納されている冗長データを援用したエラー回復処理にて正しい前記データを得て、
前記第２ステップでは、前記データの上書きが成功したか否かを確認し、前記上書きが失敗した場合には、前記記憶媒体の代替領域に前記データを書き込むことを特徴とする記憶装置の制御方法。
【請求項３】
記憶装置と、前記記憶装置と上位装置との間に介在する記憶制御装置と、を含む記憶サブシステムであって、
前記記憶装置は、自装置内の記憶媒体からのデータの読み出し処理を実行し、エラー訂正処理にて回復可能なコレクタブルエラーを検出して検査結果として記録する検査機能を備え、
前記記憶制御装置は、個々の前記記憶装置の前記検査結果を参照して、前記コレクタブルエラーが検出された前記データを前記記憶装置から読み出して、当該記憶装置の元の格納位置への上書きを試行する機能を備えたことを特徴とする記憶サブシステム。
【請求項４】
請求項３記載の記憶サブシステムにおいて、
前記記憶装置は、冗長構成の複数の記憶装置の各々であり、
前記記憶制御装置は、前記検査結果に基づく特定の前記記憶装置からの前記データの読み出しに失敗した場合には、他の前記記憶装置に格納されている冗長データを用いてデータ回復処理を行い、回復されたデータを用いて、前記上書きを試行し、前記上書きに失敗した場合には、当該記憶装置の当該記憶媒体の他の代替領域に、前記データを格納する機能を備えたことを特徴とする記憶サブシステム。
【請求項５】
請求項３または４記載の記憶サブシステムにおいて、
前記記憶装置の前記検査機能では、前記エラー訂正処理の能力を通常稼働時よりも低くして前記コレクタブルエラーを検出し、
前記記憶制御装置では、前記コレクタブルエラーとなった前記データのうち、エラー訂正長が所定値以上の前記データを選択して前記上書きを試行することを特徴とする記憶サブシステム。
【請求項６】
記憶媒体からのデータの読み出し処理を実行し、エラー訂正処理にて回復可能なコレクタブルエラーを検出する第１ステップと、
前記コレクタブルエラーが検出された前記データの、前記記憶媒体の元の格納位置への上書きを試行する第２ステップと、を含む記憶装置の制御方法であり、
前記記憶装置は、ディスクアレイを構成する冗長構成の複数の磁気ディスク装置の各々であり、
前記第１ステップでは、前記コレクタブルエラーとともに、前記エラー訂正処理にて回復不能なアンコレクタブルエラーも併せて検出し、前記アンコレクタブルエラーが検出された場合には、他の記憶装置に格納されている冗長データを援用したエラー回復処理にて正しい前記データを得て、
前記第２ステップでは、前記データの上書きが成功したか否かを確認し、前記上書きが失敗した場合には、前記記憶媒体の代替領域に前記データを書き込み、
前記記憶装置による前記記憶媒体のエラー検出時には、前記記憶装置の前記エラー訂正処理の能力を通常のデータ読み出し時よりも低くして前記コレクタブルエラーを検出し、
個々の前記記憶装置において、前記コレクタブルエラーの発生したアドレスと、当該コレクタブルエラーにおけるエラー訂正長とを対応させ、前記コレクタブルエラーとなった前記データのうち、エラー訂正長が所定値以上の前記データを選択して前記上書きを試行することを特徴とする記憶装置の制御方法。
【請求項７】
記憶装置と、前記記憶装置と上位装置との間に介在する記憶制御装置と、を含む記憶サブシステムであって、
前記記憶装置は、自装置内の記憶媒体からのデータの読み出し処理を実行し、エラー訂正処理にて回復可能なコレクタブルエラーを検出して検査結果として記録する検査機能を備え、
前記記憶制御装置は、個々の前記記憶装置の前記検査結果を参照して、前記コレクタブルエラーが検出された前記データを前記記憶装置から読み出して、当該記憶装置の元の格納位置への上書きを試行する機能を備え、
前記記憶装置は、冗長構成の複数の記憶装置の各々であり、
前記記憶制御装置は、前記検査結果に基づく特定の前記記憶装置からの前記データの読み出しに失敗した場合には、他の前記記憶装置に格納されている冗長データを用いてデータ回復処理を行い、回復されたデータを用いて、前記上書きを試行し、前記上書きに失敗した場合には、当該記憶装置の当該記憶媒体の他の代替領域に、前記データを格納する機能を備え、
前記記憶装置は、前記エラー訂正処理の能力を任意に設定できるエラー訂正部を備え、
前記記憶装置の前記検査機能では、前記記憶装置による前記記憶媒体のエラー検出時には、前記記憶装置の前記エラー訂正処理の能力を通常のデータ読み出し時よりも低くして前記コレクタブルエラーを検出し、
前記記憶制御装置では、個々の前記記憶装置において、前記コレクタブルエラーの発生したアドレスと、当該コレクタブルエラーにおけるエラー訂正長とを対応させ、前記コレクタブルエラーとなった前記データのうち、エラー訂正長が所定値以上の前記データを選択して前記上書きを試行することを特徴とする記憶サブシステム。
【手続補正書】
【提出日】平成17年2月23日(2005.2.23)
【手続補正１】
【補正対象書類名】明細書
【補正対象項目名】特許請求の範囲
【補正方法】変更
【補正の内容】
【特許請求の範囲】
【請求項１】
複数のプリンタ装置と、
前記複数のプリンタ装置へ印刷要求を行う複数のクライアント装置と、
利用者毎に前記プリンタ装置の使用可能な機能を登録し、前記プリンタ装置の使用を許可するチケットを発行する印刷制限サーバと、を有し、
前記印刷制限サーバは、印刷制限情報としてプリンタ装置の印刷機能毎に登録されたユーザＩＤリストを保持し、前記クライアント装置から送信されるユーザＩＤと印刷に必要なプリンタ装置の機能とを含む印刷要求に対して、その要求されたプリンタ装置の機能に関する前記ユーザＩＤリストに前記ユーザＩＤが登録されていた場合に、前記チケットを生成して要求元の前記クライアント装置に返送し、
前記クライアント装置は、前記チケットを含む印刷データを前記プリンタ装置に転送し、
前記プリンタ装置は、受信した印刷データに前記チケットが含まれている場合に印刷を実行することを特徴とする印刷システム。
【請求項２】
前記印刷制限サーバは、前記チケットを暗号化した状態で前記クライアント装置に返送し、前記プリンタ装置は、印刷データと共に転送された、前記暗号化されたチケットを復号化して前記クライアント装置からの印刷要求の正当性を確認することを特徴とする請求項１記載の印刷システム。
【請求項３】
前記印刷制限サーバは、乱数を発生する機能を有し、前記チケットの識別番号を乱数で生成することを特徴とする請求項１または２記載の印刷システム。
【手続補正２】
【補正対象書類名】明細書
【補正対象項目名】００１５
【補正方法】変更
【補正の内容】
【００１５】
【課題を解決するための手段】
係る目的を達成するために請求項１記載の発明は、複数のプリンタ装置と、複数のプリンタ装置へ印刷要求を行う複数のクライアント装置と、利用者毎にプリンタ装置の使用可能な機能を登録し、プリンタ装置の使用を許可するチケットを発行する印刷制限サーバと、を有し、印刷制限サーバは、印刷制限情報としてプリンタ装置の印刷機能毎に登録されたユーザＩＤリストを保持し、クライアント装置から送信されるユーザＩＤと印刷に必要なプリンタ装置の機能とを含む印刷要求に対して、その要求されたプリンタ装置の機能に関するユーザＩＤリストにユーザＩＤが登録されていた場合に、チケットを生成して要求元のクライアント装置に返送し、クライアント装置は、チケットを含む印刷データをプリンタ装置に転送し、プリンタ装置は、受信した印刷データにチケットが含まれている場合に限って、印刷を実行することを特徴とする。
【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】
テキストの１のセクションから単語を逐次的に提示するディスプレイ装置であって、
ａ）ディスプレイ・デバイスと、
ｂ）該ディスプレイ・デバイスによって表示される画像を制御するディスプレイのコントローラとを包含し、
前記ディスプレイコントローラは、（ａ）単語が順次に単語ごとに提示される第１領域と（ｂ）該第１領域の読み出されつつある単語を含む前記テキストセクションのサムネイル・ビューとを包含する、ディスプレイ画像を生成するように前記ディスプレイ・デバイスを制御し、
前記ディスプレイコントローラは、前記ディスプレイ画像を生成しているとき、前記第１領域に対する前記サムネイル・ビューの動きを、前記第１領域に現在提示されている単語の位置を少なくとも前記サムネイル・ビュー内に適正に示すように制御している
ことを特徴とするディスプレイ装置。
【請求項２】
請求項１によるディスプレイ装置において、
前記ディスプレイコントローラは、単語を前記第１領域内に制御した表示速度で提示するように動作する
ことを特徴とするディスプレイ装置。
【請求項３】
請求項２によるディスプレイ装置において、
前記ディスプレイコントローラは、前記第１領域が前記ディスプレイ画像の中の固定位置に維持されるように、該ディスプレイ画像を生成するように動作する
ことを特徴とするディスプレイ装置。
【請求項４】
文書のテキストのセクションから単語を逐次的に提示するディスプレイ装置であって、
ディスプレイ・デバイスと、該ディスプレイ・デバイスによって表示される画像を制御するディスプレイのコントローラとを包含し、
前記ディスプレイコントローラは、単語が順次に単語ごとに提示される第１領域と該第１領域の読み出されつつある単語を含む前記テキストセクションのサムネイル・ビューとを包含する、ディスプレイ画像を生成するように前記ディスプレイ・デバイスを制御する動作が可能であり、
前記ディスプレイコントローラは、単語が前記第１領域に順次に単語ごとに提示されるとき、前記サムネイル・ビュー内に位置するインジケータの動きを、前記第１領域に現在提示されている単語の前記テキストセクションの位置に対応させて制御している
ことを特徴とするディスプレイ装置。
【請求項５】
請求項４によるディスプレイ装置において、
前記コントローラは、前記第１領域の単語の順序が進むにつれて前記インジケータの位置を移動させるように動作可能である
ことを特徴とするディスプレイ装置。
【手続補正書】
【提出日】平成16年10月25日(2004.10.25)
【手続補正１】
【補正対象書類名】明細書
【補正対象項目名】特許請求の範囲
【補正方法】変更
【補正の内容】
【特許請求の範囲】
【請求項１】
ソフトウェアプログラムのオーソライズされていない使用を防止する方法において、
ソフトウェアプログラムにより生成された１つ以上のファイルが、前記１つ以上のファイルが生成される現在の時間インターバルに関連づけられた第１の暗号キーを使用して少なくとも部分的に暗号化されるように、ソフトウェアエージングプロセスにしたがって前記ソフトウェアプログラムを構成するステップと、
前記ソフトウェアプログラムの周期的更新を前記ソフトウェアプログラムの合法的ユーザに提供するステップとを有し、
前記周期的更新の所定の１つは、前記現在の時間インターバルの後に続く時間インターバルに関連づけられた少なくとも第２の暗号キーを含む
ことを特徴とする方法。
【請求項２】
前記周期的更新の少なくとも一部が、前記プログラムの機能のいかなる変更も提供しないが、その代わりに、前記プログラムにより生成された出力を少なくとも部分的に暗号化するために使用される暗号キーの変更により、前記プログラムの著作権侵害を防止する
ことを特徴とする請求項１記載の方法。
【請求項３】
前記現在の時間インターバルに対して前記プログラムにより生成されかつ前記第１の暗号キーを使用して少なくとも部分的に暗号化された前記ファイルが、対応する解読キーを有するプログラムによってのみ読み出し可能である
ことを特徴とする請求項１記載の方法。
【請求項４】
前記第１の暗号キーおよび前記対応する解読キーは、暗号化および解読の両方に使用される共通のシンメトリック暗号キーを含む
ことを特徴とする請求項３記載の方法。
【請求項５】
前記第１の暗号キーは、公知の一方向関数を使用して前記第２の暗号キーの関数として演算可能である
ことを特徴とする請求項１記載の方法。
【請求項６】
所定の時間インターバルにおいて前記ソフトウェアプログラムにより生成された各ファイルは、前記時間インターバルの識別子でラベル付けされている
ことを特徴とする請求項１記載の方法。
【請求項７】
前記ソフトウェアプログラムの周期的なランダムな更新を１つ以上の非合法的ユーザに提供するステップをさらに含み、前記ランダムな更新のうちの所定の１つは、正しい更新に関連づけられた暗号キーの変わりにランダムな数を含む
ことを特徴とする請求項１記載の方法。
【請求項８】
前記第１の暗号キーを使用して現在の時間インターバルｔに対して前記ソフトウェアプログラムにより生成されるファイルは、少なくともインターバルｔ−δに対応する更新を受け取った前記プログラムのコピーによってのみ読み出し可能であり、ここでδは、現在のバージョンと以前のバージョンとの間の互換性が望まれる時間インターバルの指定された数である
ことを特徴とする請求項１記載の方法。
【請求項９】
ソフトウェアプログラムのオーソライズされていない使用を防止する装置において、
ソフトウェアプログラムの少なくとも一部を記憶するためのメモリと、        前記メモリに結合されて、前記ソフトウェアプログラムの少なくとも一部を実行するように動作可能なプロセッサとを有し、
前記ソフトウェアプログラムは、前記ソフトウェアプログラムにより生成された１つ以上のファイルが、前記１つ以上のファイルが生成された現在の時間インターバルに関連づけられた第１の暗号キーを使用して少なくとも部分的に暗号化されるように、ソフトウェアエージングプロセスに従って構成されており、前記ソフトウェアプログラムの周期的更新が、前記ソフトウェアプログラムの合法的ユーザに提供され、前記周期的更新の所定の１つが、前記現在の時間インターバルの後に続く時間インターバルに関連づけられた少なくとも第２の暗号キーを含む
ことを特徴とする装置。
【請求項１０】
ソフトウェアプログラムを含む機械読み出し可能な媒体において、前記ソフトウェアプログラムにより生成される１つ以上のファイルが、前記１つ以上のファイルが生成される現在の時間インターバルに関連づけられた第１の暗号キーを使用して少なくとも部分的に暗号化されるように、ソフトウェアエージングプロセスに従って構成されており、前記ソフトウェアプログラムの周期的更新は、前記ソフトウェアプログラムの合法的ユーザに提供され、前記周期的更新のうちの所定の１つは、前記現在の時間インターバルの後に続く時間インターバルに関連づけられた少なくとも第２の暗号キーを含み、１つのインターバルから別のインターバルへの暗号キーの変化により、前記ソフトウェアプログラムのオーソライズされない使用が防止される
ことを特徴とする媒体。
【手続補正書】
【提出日】平成16年12月6日(2004.12.6)
【手続補正１】
【補正対象書類名】明細書
【補正対象項目名】特許請求の範囲
【補正方法】変更
【補正の内容】
【特許請求の範囲】
【請求項１】
プログラマブルロジックコントローラ（ＰＬＣ）（１６）とローカルサーバ（２２）と無線式インターネットサービスプロバイダ（ＩＳＰ）（２８）を含むシステム（１０）を利用して、携帯型無線デバイス（３４）を用いて工業用コントローラを制御／監視する方法であって、プログラマブルロジックコントローラ（ＰＬＣ）を使ってシステムを監視／制御する工程と、前記ＰＬＣとローカルサーバ間の通信を行う工程と、インターネットを利用して、前記ローカルサーバとインターネットサービスプロバイダ（ＩＳＰ）サーバ間の通信を行う工程と、前記ＩＳＰサーバと無線式ユーザ通信デバイス間の通信を行う工程とを備えることを特徴とする工業用コントローラを制御／監視する方法。
【請求項２】
前記ＰＬＣ（１６）サーバと前記ローカルサーバ（２２）間の通信を行う工程は、前記ＰＬＣから前記ローカルサーバへＰＬＣ動作データを送信する工程をさらに備える、請求項１の方法。
【請求項３】
前記ローカルサーバ（２２）と前記ＩＳＰサーバ（２８）間の通信を行う工程は、前記ローカルサーバから前記ＩＳＰサーバへＰＬＣ動作データを送信する工程をさらに備える、請求項２の方法。
【請求項４】
前記無線式ユーザ通信デバイス（３４）は、無線式ユーザ通信デバイスに情報を入力するユーザインタフェースが含まれ、前記ＩＳＰサーバ（２８）と前記無線式ユーザ通信デバイス間の通信を行う工程は、少なくとも１つのＰＬＣコマンドを入力する工程と、入力デバイス（４０）を使ってＰＬＣ動作応答データを入力する工程と、前記無線式ユーザ通信デバイスから前記ＩＳＰサーバへ少なくとも１つのＰＬＣコマンドを送信する工程と、前記無線式ユーザ通信デバイスから前記ＩＳＰサーバへＰＬＣ動作応答データを送信する工程とをさらに備える、請求項１の方法。
【請求項５】
前記監視／制御する工程は、少なくとも１つのＰＬＣコマンドを使って前記ＰＬＣ（１６）の動作を制御する工程と、ＰＬＣ動作応答データを使って前記ＰＬＣの動作を制御する工程とをさらに備える、請求項１の方法。
【請求項６】
プログラマブルロジックコントローラ（ＰＬＣ）（１６）と、前記ＰＬＣと通信を行うために構成されたローカルサーバ（２２）と、インターネットを使って前記ローカルサーバと通信を行うために構成された無線式インターネットサービスプロバイダ（ＩＳＰ）サーバ（２８）と、前記ＩＳＰサーバと通信を行うために構成された無線式ユーザ通信デバイス（３４）を備えることを特徴とする工業用コントローラを制御／監視するシステム。
【請求項７】
前記ローカルサーバ（２２）は、前記ＰＬＣ（１６）からＰＬＣ動作データをアクセスするためにさらに構成される、請求項６のシステム（１０）。
【請求項８】
前記ローカルサーバ（２２）はさらに、前記ＩＳＰサーバ（２８）へＰＬＣ動作データを伝達するように構成される、請求項７のシステム（１０）。
【請求項９】
前記無線式ユーザ通信デバイス（３４）はさらに、ＰＬＣ動作応答データを開始して、前記ＩＳＰサーバ（２８）へ前記ＰＬＣ動作応答データを伝達するように構成される、請求項６のシステム（１０）。
【請求項１０】
前記無線式ユーザ通信デバイス（３４）は、前記無線式通信デバイスに情報を入力するように構成されたユーザインタフェース（４０）と、前記無線式通信デバイスによって前記ＩＳＰサーバから受信された情報とユーザ入力情報を表示するように構成されたディスプレイ（４２）とを備える、請求項６のシステム（１０）。
【手続補正書】
【提出日】平成16年8月25日(2004.8.25)
【手続補正１】
【補正対象書類名】明細書
【補正対象項目名】発明の名称
【補正方法】変更
【補正の内容】
【発明の名称】画像検索方法、画像検索装置、画像データベース作成装置およびプログラム
【手続補正２】
【補正対象書類名】明細書
【補正対象項目名】特許請求の範囲
【補正方法】変更
【補正の内容】
【特許請求の範囲】
【請求項１】
コンピュータに画像検索方法を実行させるプログラムであって、
該画像検索方法は、
ユーザから属性情報と、該属性情報の所定領域への付与を受け、
前記属性情報と前記所定領域により作られる領域属性情報を有する画像群を画像データベースから検索し、
上記検索した画像群を出力する画像検索方法であることを特徴とするプログラム。
【請求項２】
検索結果として画像群を出力する検索方法において、検索された画像群に共通の属性情報が前記画像群を構成する各画像の共通領域にあることを検出し、検出された各画像の前記共通の領域画像を、前記画像群を出力表示する手段の該当する領域へ表示することを特徴とする検索方法。
【請求項３】
上記画像検索方法は、
上記属性情報が付与されていない１つまたは複数の領域に、１つまたは複数の属性情報を付与する入力を受けて上記検索の範囲を狭める操作と、
既に上記属性情報が付与された１つまたは複数の領域に、１つまたは複数の属性情報を追加する入力を受けて上記検索の範囲を狭める操作と、
既に上記属性情報が付与された１つまたは複数の領域から、１つまたは複数の属性情報を削除する入力を受けて上記検索の範囲を広げる操作と、
既に上記属性情報が付与された１つまたは複数の領域の１つまたは複数の属性情報を、別の１つまたは複数の領域へ付与する入力を受け、上記検索の範囲を狭める操作と、
既に上記属性情報が付与された１つまたは複数の領域の１つまたは複数の属性情報を、別の１つまたは複数の領域へ移し換える入力を受けて上記検索の範囲を変更する操作と、
既に上記属性情報が付与された１つまたは複数の領域の１つまたは複数の属性情報を、別の１つまたは複数の属性情報へ変更する入力を受けて上記検索の範囲を変更する操作のうちの少なくとも何れかにより検索範囲を変更することを特徴とする請求項１のプログラム。
【請求項４】
上記属性情報の所定領域への付与は、線、形状、又は、テクスチャ少なくとも１の描画入力を受けて、該描画が行われた領域に、描画された線方向、形状、又は、テクスチャを示す属性情報を追加することで行うことを特徴とする請求項１または請求項３記載のプログラム。
【請求項５】
画像領域の属性情報を選ぶ属性選択手段と、その属性情報を指定された領域に割り当てる領域指定手段と、領域を特定する情報と属性情報を合わせた領域属性情報が蓄積された領域属性情報データベースと、出力する画像データが蓄積された画像データベースと、前記領域指定手段によって指定された領域内に前記属性選択手段によって選択された属性情報を持つ画像を検索する画像検索手段と、検索された画像群を表示する手段とを有することを特徴とする画像検索装置。
【請求項６】
検索結果として画像群を出力する検索装置において、検索された画像群に共通の属性情報が前記画像群を構成する画像の共通領域にあることを検出する共通領域属性検出手段と、前記共通領域属性検出手段により検出された領域に、検索された各画像の該当する領域画像を表示する画像領域表示手段とを有することを特徴とする検索装置。
【請求項７】
画像検索手段により絞り込まれた画像群を合成した画像を生成し、その領域部分を表示することを特徴とする請求項５記載の検索装置。
【請求項８】
画像検索手段により検索された各画像のその領域部分を順次入れ替えて表示するものであることを特徴とする請求項５記載の検索装置。
【請求項９】
画像を検索するための画像属性情報のデータベースを作成装置において、画像を複数の領域に分け、その各領域内から画像特徴量を抽出して属性情報とする特徴抽出手段と、その領域を特定する情報とその属性情報を合わせて領域属性情報とし、その領域属性情報とその画像とを対応付けしてデータベースに格納する属性格納手段とを有することを特徴とする画像データベース作成装置。
【請求項１０】
画像を表示し、その画像の１つ、または複数の領域に対して任意のシンボルまたはキーワードを割り当て、その領域を特定する情報と合わせて上記領域属性情報として扱うことを特徴とする請求項９記載の画像データベース作成装置。
【請求項１１】
コンピュータを画像を検索するための画像属性情報のデータベース作成装置として機能させるプログラムであって、
該プログラムは、画像を複数の領域に分け、該各領域内から画像特徴量を抽出して属性情報とし、上記領域を特定する情報と上記属性情報を合わせて領域属性情報とし、上記領域属性情報と上記画像とを対応付けしてデータベースに格納するデータベース作成方法を機能させるものであることを特徴とするプログラム。
【手続補正３】
【補正対象書類名】明細書
【補正対象項目名】００１７
【補正方法】変更
【補正の内容】
【００１７】
１回の検索動作は以下のような流れで行われる。透明スイッチ906から領域情報、ボタン類908から属性情報を入力して領域属性情報作成部916にて領域属性情報が生成される。領域属性検索部915にてその領域属性情報を用いて、行列構造が格納された領域属性データベース914を検索し、画像IDを出力する。画像IDは画像群の出力部912へ送られ、画像データベース911から実際に画像IDに対応する画像を入手して画像群の出力装置で出力がなされる。一方、画像IDは共通領域属性検出部913へも送られ、領域属性データベース914を使用して検索結果に共通する領域属性情報を抽出する。それが画像領域の合成部910にて、画像データベースから該当する領域のみ画像群から取り出して合成し、905の液晶ディスプレーにて表示される。
上記本願で開示した発明は、プログラムとしてコンピュータに機能させることができる。よって、本願はコンピュータを画像検索装置として機能させるプログラムであって、あらかじめ用意された属性情報から選択された１つまたは複数の属性情報について、ユーザから前記属性情報の所定領域への付与を受ける手段、前記属性情報と前記領域により作られる領域属性情報を持つ画像群を画像データベースから検索する手段、検索した画像群を出力する手段を有するプログラム。及び、コンピュータを画像を検索するための画像属性情報のデータベース作成装置として機能させるプログラムであって、
画像を複数の領域に分け、その各領域内から画像特徴量を抽出して属性情報とし、領域を特定する情報と属性情報を合わせて領域属性情報とし、その領域属性情報と上記画像とを対応付けしてデータベースに格納するデータベース作成方法を機能させるデータベース作成プログラムを開示する。
【手続補正書】
【提出日】平成16年4月13日(2004.4.13)
【手続補正１】
【補正対象書類名】明細書
【補正対象項目名】特許請求の範囲
【補正方法】変更
【補正の内容】
【特許請求の範囲】
【請求項１】
個人プロファイルを生成する方法であって、
プロファイルデータベース（１３９）において、オンライン出版物を生成する際に考慮される多数のパラメータ（２８３、２８６、２８９、２９３、２９６）を含むロールモデルプロファイル（１４１ｂ）を識別するステップと、
前記ロールモデルプロファイル（１４１ｂ）を、クライアントプロファイル（１４１ａ）にコピーするステップと、
前記クライアントプロファイル（１４１ａ）を、
前記プロファイルデータベース（１３９）に保存するステップと
を含む方法。
【請求項２】
請求項１記載の方法は、さらに、
前記クライアントプロファイル（１４１ａ）を、クライアント（１０６）によって変更されるために前記クライアント（１０６）に送信するステップと、
該クライアント（１０６）から前記クライアントプロファイル（１４１ａ）を受信するステップと
含む方法。
【請求項３】
前記プロファイルデータベース（１３９）において、前記ロールモデルプロファイル（１４１ｂ）を識別する前記ステップは、
多数の潜在的なロールモデル（２５９）を、クライアント（１０６）に送信するステップと、
該クライアント（１０６）から受信する選択されたロールモデルに基づき、前記ロールモデルプロファイル（１４１ｂ）を探索するステップと
をさらに含む
請求項１に記載の方法。
【請求項４】
ロールモデル（２５９）によって好まれる多数の定期コンテンツ項目を、定期的に識別するステップと、
前記ロールモデルプロファイル（１４１ｂ）に、前記多数の定期コンテンツ項目を含むステップと
をさらに含む請求項１に記載の方法。
【請求項５】
前記定期コンテンツ項目を、前記クライアントプロファイル（１４１ａ）に関連させるステップ
をさらに含む請求項４に記載の方法。
【請求項６】
個人プロファイルを生成するシステムであって、
少なくとも１つのプロセッサ（１２３）と少なくとも１つのメモリ（１２６）とを有するプロセッサ回路と、
少なくとも１つのメモリ（１２６）に格納され、少なくとも１つのプロセッサ（１２３）によって実行可能であり、プロファイルデータベース（１３９）において、オンライン出版物を生成する際に考慮される多数のパラメータ（２８３、２８６、２８９、２９３、２９６）を含むロールモデルプロファイル（１４１ｂ）を識別するロジックと、
前記ロールモデルプロファイル（１４１ｂ）を、クライアントプロファイル（１４１ａ）にコピーするロジックと、
前記クライアントプロファイル（１４１ａ）を、前記プロファイルデータベース（１３９）に保存するロジックと
を備えるプロファイル構築ロジック（３０６）と
を具備するシステム。
【請求項７】
前記プロファイル構築ロジック（３０６）は、
前記クライアントプロファイル（１４１ａ）を、クライアント（１０６）によって変更されるために該クライアント（１０６）に送信するロジックと、
該クライアント（１０６）から、前記クライアントプロファイル（１４１ａ）を受信するロジックと
をさらに備える
請求項６に記載のシステム。
【請求項８】
前記プロファイルデータベース（１３９）において、前記ロールモデルプロファイル（１４１ｂ）を識別する前記ロジックは、
多数の潜在的なロールモデル（２５９）をクライアント（１０６）に送信するロジックと、
該クライアント（１０６）から受信する選択されたロールモデルに基づき前記ロールモデルプロファイル（１４１ｂ）を探索するロジックと
をさらに備える請求項６に記載のシステム。
【請求項９】
前記メモリ（１２６）に格納され前記プロセッサ（１２３）によって実行可能であり、ロールモデル（２５９）によって優先される（preferred）多数の定期コンテンツ項目を定期的に識別するロジックと、
前記ロールモデルプロファイル（１４１ｂ）に前記多数の定期コンテンツ項目を含むロジックとを備えるデイリー選択ロジック（３０３）と
をさらに具備する請求項６に記載のシステム。
【請求項１０】
前記クライアントプロファイル（１４１ａ）は、
前記定期コンテンツ項目を該クライアントプロファイル（１４１ａ）に関連付けるロールモデル識別子
をさらに備える
請求項９に記載のシステム。
【手続補正書】
【提出日】平成16年8月24日(2004.8.24)
【手続補正１】
【補正対象書類名】明細書
【補正対象項目名】００３７
【補正方法】変更
【補正の内容】
【００３７】
【発明の実施の形態】
図１は、本発明の第１の実施形態に係る音楽信号処理装置の構成を示すブロック図である。図１において、音楽信号処理装置は、音楽データ入力部１と、ユーザ入力部２と、演算部３と、音声出力部４と、表示部５とを備えている。
【手続補正２】
【補正対象書類名】明細書
【補正対象項目名】００８８
【補正方法】変更
【補正の内容】
【００８８】
ステップＳ２４において、上記の差分が所定レベル以上となる周波数帯域が検出されない場合、比較部３５６は、処理を終了する。一方、上記の差分が所定レベル以上となる周波数帯域が検出された場合、比較部３５６は、検出された周波数帯域をパラメータ決定部３５２に出力する（ステップＳ２５）。ステップＳ２５の後、比較部３５６は、ステップＳ２２の処理に戻り、出力音響特性検出部３５５からの入力を待つ。比較部３５６は、ステップＳ２４において上記の差分が所定レベル以上となる周波数帯域が検出されなくなるまで、ステップＳ２２〜ステップＳ２５の処理を繰り返す。以上により、比較部３５６により検出された周波数帯域は、パラメータ決定部３５２に出力される。
【手続補正書】
【提出日】平成17年8月23日(2005.8.23)
【手続補正１】
【補正対象書類名】明細書
【補正対象項目名】００４５
【補正方法】変更
【補正の内容】
【００４５】
又、上記各第三の枢軸７７、７７の内部には、図示しない送油ポンプから潤滑油を送り込み自在とすると共に、これら各第三の枢軸７７、７７の内部と上記円筒状凸部７８の内部とを、上記各リンク腕７４ａ、７４ｂの中心孔の軸方向中間部に形成した凹溝８３と、これら各リンク腕７４ａ、７４ｂの先半部（図１の上半部）内側に形成した通油孔８４とを介して、互いに通じさせている。尚、この通油孔８４の下流端開口は、プラグ８５により塞いでいる。従って、前記図示しない送油ポンプから上記各第三の枢軸７７、７７内に送り込まれた潤滑油は、その全量が、前記各枢軸６、６の中心部に設けた円孔７９内に送られる。この様にして円孔７９内に送り込まれた潤滑油は、前述の各油圧アクチュエータ６０ａ、６０ｂのロッド６３内に送り込んだ潤滑油の場合と同様に、各部の潤滑に使用する様に構成している。
【手続補正２】
【補正対象書類名】図面
【補正対象項目名】図１
【補正方法】変更
【補正の内容】
【図１】
2002089645.tif 000001
【手続補正書】
【提出日】平成17年8月5日(2005.8.5)
【手続補正１】
【補正対象書類名】明細書
【補正対象項目名】０００３
【補正方法】変更
【補正の内容】
【０００３】
フロント側キャビティ２及びリヤ側キャビティ３の入力ディスク４，５は主軸１に対してボールスプライン１０によって回転係合し、軸方向に移動可能になっている。また、リヤ側キャビティ３の入力ディスク５はローディングナット１１によって抜け止めされている。さらに、フロント側キャビティ２の出力ディスク６及びリヤ側キャビティ３の出力ディスク７は主軸１に対して回転自在に嵌合された嵌合筒部１３に対して背中合わせ状態で結合されている。
【手続補正２】
【補正対象書類名】明細書
【補正対象項目名】０００５
【補正方法】変更
【補正の内容】
【０００５】
このローディングカム１４を貫通し、入力側に突出する主軸１の端部には鍔部１６が設けられ、この鍔部１６と対向するローディングカム１４との間には環状空隙部１７が設けられている。そして、この環状空隙部１７には主軸１を回転自在に軸支する転がり軸受１８が設けられている。
【手続補正３】
【補正対象書類名】明細書
【補正対象項目名】００１９
【補正方法】変更
【補正の内容】
【００１９】
図１及び図２は第１の実施形態を示し、図１はダブルキャビティ式ハーフトロイダル型無段変速機のフロント側キャビティ２1を示し、図２はリヤ側キャビティ２２を示す。図1に示すように、フロント側キャビティ２1は、主軸２３の端部には鍔部２4が設けられ、この鍔部２4の外周には転がり軸受２５を介してローディングカム２６が設けられている。
【手続補正４】
【補正対象書類名】図面
【補正対象項目名】図３
【補正方法】変更
【補正の内容】
【図３】
2002089647.tif 000001
【手続補正書】
【提出日】平成17年8月29日(2005.8.29)
【手続補正１】
【補正対象書類名】明細書
【補正対象項目名】特許請求の範囲
【補正方法】変更
【補正の内容】
【特許請求の範囲】
【請求項１】  ハウジングと、このハウジング内に回転自在に支持された入力軸と、この入力軸の周囲にこの入力軸と共に回転自在に支持された入力側ディスクと、その内側面をこの入力側ディスクの内側面に対向させた状態でこの入力側ディスクと同心に配置され、この入力側ディスクに対する相対回転を自在とされた出力側ディスクと、これら入力側ディスクと出力側ディスクとの間に設けられ、これら両ディスクの中心軸に対し捻れの位置にある枢軸を中心として揺動する、１対の入力側ディスク及び出力側ディスク毎に３個ずつのトラニオンと、これら各トラニオンの内側面から突出した、これら各トラニオン毎に１本ずつの変位軸と、これら各変位軸に回転自在に支持された状態で、上記入力側ディスクと出力側ディスクとの内側面同士の間に挟持された、上記各トラニオン毎に１個ずつのパワーローラと、これら各トラニオンをそれぞれの両端部に設けた枢軸の軸方向に変位させるアクチュエータとを備えたトロイダル型無段変速機に於いて、上記１対の入力側ディスク及び出力側ディスク毎に３個ずつのトラニオンのうち、一部のトラニオンを変位させる為のアクチュエータは、リンク腕を介してこの一部のトラニオンを互いに逆方向に変位させる１対の単動型の油圧アクチュエータであり、残りのトラニオンを変位させる為のアクチュエータは、この残りのトラニオンに関する枢軸の延長上に、この残りのトラニオン毎に１個ずつ設けられた複動型の油圧アクチュエータである事を特徴とするトロイダル型無段変速機。
【請求項２】  それぞれが単動型である１対の油圧アクチュエータへの圧油の給排、並びに、複動型である油圧アクチュエータへの圧油の給排を、単一の制御弁により互いに同期させて行なう、請求項１に記載したトロイダル型無段変速機。
【請求項３】  各リンク腕は、それぞれの中間部を揺動変位自在に支持されており、これら各リンク腕は、それぞれの基端部片側面を各油圧アクチュエータを構成するロッドの先端面に突き当てており、上記各リンク腕の基端部でこのロッドの先端面に突き当たる部分を、部分円筒状の凸曲面としている、請求項１〜２のうちの何れか１項に記載したトロイダル型無段変速機。
【請求項４】  一部のトラニオンの両端部に設けた各枢軸の端面と上記各リンク腕の先端部側面との間にスラストニードル軸受を設けており、このスラストニードル軸受を構成する為に上記各リンク腕側に設けられた軌道輪の片面で、これら各リンク腕の先端部側面と当接する面を、球状凸面若しくは円すい状凸面としている、請求項１〜３のうちの何れか１項に記載したトロイダル型無段変速機。
【請求項５】  各リンク腕の先端部に形成した円筒状凸部を、一部のトラニオンの両端部に設けた各枢軸の中心部に形成した、これら各円筒状凸部の外径よりも大きな内径を有する円孔内に緩く挿入している、請求項１〜４のうちの何れか１項に記載したトロイダル型無段変速機。
【手続補正２】
【補正対象書類名】明細書
【補正対象項目名】００３２
【補正方法】変更
【補正の内容】
【００３２】
先ず、特許請求の範囲に記載した一部のトラニオンに相当する、下部中央に水平方向に設けたトラニオン７ａは、このトラニオン７ａの両端部下方に設けた１対の油圧アクチュエータ５０ａ、５０ｂにより、それぞれリンク腕５１ａ、５１ｂを介して変位駆動自在としている。これら各油圧アクチュエータ５０ａ、５０ｂは、シリンダ５２内への圧油の供給によりロッド５３を押し出すが、このシリンダ５２への圧油の供給を停止した状態でも、外力が働かない限りこのロッド５３がシリンダ５２内に引き込まれない、単動型のものを使用している。この様な上記各油圧アクチュエータ５０ａ、５０ｂは、互いに同心に、且つロッド５３の押し出し方向を互いに逆に、より具体的には、圧油の供給に基づいてロッド５３を、別の油圧アクチュエータ５０ａ（又は５０ｂ）から離れる方向に押し出す様にして、ケーシング５ａ内に支持固定している。
【手続補正３】
【補正対象書類名】明細書
【補正対象項目名】００３６
【補正方法】変更
【補正の内容】
【００３６】
又、前記各第三の枢軸５４、５４の内部と、上記円筒状凸部５５の内部とは、上記各リンク腕５１ａ、５１ｂの中心孔の軸方向中間部に形成した凹溝６０と、これら各リンク腕５１ａ、５１ｂの先半部（図１、３の上半部）内側に形成した通油孔６１とを介して、互いに通じている。尚、この通油孔６１の下流端開口は、プラグ６２により塞いでいる。従って、前記図示しない送油ポンプから上記各第三の枢軸５４、５４内に送り込まれた潤滑油は、その全量が、前記各枢軸６、６の中心部に設けた円孔５６内に送られる。この様にして円孔５６内に送り込まれた潤滑油は、トロイダル型無段変速機の転がり接触部の潤滑に使用される。即ち、この潤滑油の一部は、上記トラニオン７ａに設けたノズル孔６３、６３から噴出して、前記入力側ディスク２及び出力側ディスク４の内側面２ａ、４ａと、上記トラニオン７ａに支持したパワーローラ９の周面９ａとの転がり接触部を潤滑する。
【手続補正４】
【補正対象書類名】明細書
【補正対象項目名】００３８
【補正方法】変更
【補正の内容】
【００３８】
一方、特許請求の範囲に記載した残りのトラニオンに相当する、上部両側に傾斜方向に設けたトラニオン７ｂ、７ｃは、これら各トラニオン７ｂ、７ｃに関する枢軸６、６の延長上に、図４に詳示する様な複動型の油圧アクチュエータ６７ａ、６７ｂを、これら各トラニオン７ｂ、７ｃ毎に１個ずつ設けている。そして、これら各油圧アクチュエータ６７ａ、６７ｂへの圧油の給排により、上記各トラニオン７ｂ、７ｃを、それぞれの両端部に設けた枢軸６、６の軸方向に変位自在としている。
【手続補正５】
【補正対象書類名】図面
【補正対象項目名】図１
【補正方法】変更
【補正の内容】
【図１】
2002089643.tif 000001
【手続補正書】
【提出日】平成17年1月17日(2005.1.17)
【手続補正１】
【補正対象書類名】明細書
【補正対象項目名】特許請求の範囲
【補正方法】変更
【補正の内容】
【特許請求の範囲】
【請求項１】
軸とハウジングとの間に配置される多段スラスト軸受装置において、前記軸に取り付けられる複数の内輪と、前記ハウジングに取り付けられる複数の外輪と、前記内輪と、これに隣接する前記外輪との間に各々配置される転動体と、前記複数の内輪間に配置される一つ以上の内輪間座と、前記複数の外輪間に配置される一つ以上の外輪間座と、を有し、前記内輪間座と前記外輪間座の少なくとも一方の間座において、大きな荷重を受ける間座に対し、小さな荷重を受ける間座が、前記小さな荷重に比例した半径方向断面積を有する場合よりも大きい半径方向断面積を有しながらも、両間座において発生する変形量を均等化する側に近づける構造とした多段スラスト軸受装置。
【請求項２】
軸とハウジングとの間に配置される多段スラスト軸受装置において、前記軸に取り付けられる複数の内輪と、前記ハウジングに取り付けられる複数の外輪と、前記内輪と、これに隣接する前記外輪との間に各々配置される転動体と、前記複数の内輪間に配置される内輪間座と、前記複数の外輪間に配置される外輪間座と、を有し、前記内輪間座と前記外輪間座が異なる荷重を受けたとき、大きな荷重を受ける間座に対し、小さな荷重を受ける間座が、前記小さな荷重に比例した半径方向断面積を有する場合よりも大きい半径方向断面積を有しながらも、両間座において発生する変形量を均等化する側に近づける構造とした多段スラスト軸受装置。
【請求項３】
前記構造は、前記内輪間座もしくは前記外輪間座の周面に形成された穴もしくは凹部を含む請求項１又は２に記載の多段スラスト軸受装置。
【請求項４】
１段目の内輪間座の軸方向の圧縮剛性Ｋilに対して、ｎ段目の内輪間座の軸方向の圧縮剛性Ｋinとの間、及びｎ段目の外輸間座の軸方向剛性Ｋo(Z+1-n)との間に、以下の関係が成立する請求項１乃至３のいずれかに記載の多段スラスト軸受装置。
０．７６×Ｃn×Ｋil＜Ｋin＜１．２４×Ｃn×Ｋil  （４）
０．７６×Ｃn×Ｋil＜Ｋo(Z+1-n)＜１．２４×Ｃn×Ｋil  （５）
ここで、Ｃn＝（Ｚ＋１−ｎ）／Ｚであり、Ｚは間座の段数である。
【請求項５】
前記外輪間座の肉厚と、前記内輪間座の肉厚とが等しいときに、式（４）、（５）が満たされる請求項４に記載の多段スラスト軸受装置。
【手続補正書】
【提出日】平成16年5月24日(2004.5.24)
【手続補正１】
【補正対象書類名】明細書
【補正対象項目名】特許請求の範囲
【補正方法】変更
【補正の内容】
【特許請求の範囲】
【請求項１】
下方吸い込み、側方吐出式の竪型ポンプに於いて、
非磁性高電気抵抗材質の中空円筒形状の外キャン内に、前記外キャンより小径で中空円筒形状をした前記外キャンと同材質の内キャンを隙間をもたせて挿入し、前記内外キャンの隙間の上端は閉鎖し、前記外キャンの下端近くは内径を大きくして前記下端周縁にフランジを取付け、前記内キャンは上面開放し、下側は途中を底にて閉鎖し、前記外キャンの外側に複数個の永久磁石をその内面に配列して取付けた円筒状の外磁石筒を配置し、前記内キャン内に前記外磁石筒の磁石と異極で対応する磁石をその外面に取付配列された円筒状の外磁石筒を配列し、両磁石円筒を駆動して前記内外キャンの隙間に回転磁界を発生させるためのモーターを設け、
前記内外キャンの隙間に、当該隙間で回転しうる中空円筒状の非磁性電気良導体で形成されたローターを配置し、前記ローターの上下面を開放し、下端はインペラーの上面である主板に連結し、
前記ローターの外側下辺で前記インペラーより少し上側に、外周に小さな複数の翼を有するリング状の補助翼−１を取付け、前記補助翼−１に対応させて前記外キャンの内側に対応面が凹凸を有するリング状の対応リングを取付け、前記インペラーより吐出された液は前記補助翼−１と前記対応リングの隙間を通って前記ローター内側に流入しうるような構造とし、
前記インペラー主板の中央に吸入筒内径と略同径の孔をあけ、これに円板状の均圧板を挿入し、前記均圧板は吊下げバーにて前記内キャン内の底より吊下げ、前記均圧板と前記インペラー主板との間に隙間を開けておき、前記隙間より前記インペラー主板と前記ローター間の液体が前記インペラー内に還流するようにし、また、前記均圧板にも適当な大きさの孔をあけて、これも還流孔とし、インペラー吸入筒の根元のインペラー下板に補助翼−１と同じ形状のリング状の補助翼−２を取付けた構造としたコンタミの発生しない非接触ポンプ。
【請求項２】
前記インペラー主板と前記ローターに囲まれたスペースＶ２の圧力とインペラーケーシング内Ｖ１の圧力を検出する検出装置を取付け、前記スペースＶ２内から調整管を前記均圧板、前記インペラー中央を貫通させて連結管内まで下し、前記連結管の壁より外部へ出し、前記均圧板は調整管に固定して保持し、前記インペラーケーシング内Ｖ１および前記連結管壁に内部に通ずる管を取付け、夫々の管に開閉弁を取付け、その開閉弁より後を調整管と連結し、圧力検出器の信号により上記開閉弁を作動させることにより、スペースＶ２内の液を前記連結管内へ還流させまたはインペラーケーシング内Ｖ１内の液をスペースＶ２へ流入させて、Ｖ１，Ｖ２内の圧力差を或範囲内の値にすることによって前記インペラーを液中に安定、均衡した状態にするための圧力調整装置を設けた請求項１記載のコンタミの発生しない非接触ポンプ。
【請求項３】
吸込筒への連結管の湾曲部と連結部の間にインペラーの流入速度を均一化させる為の整流装置を挿入した請求項１または２記載のコンタミの発生しない非接触ポンプ。
【請求項４】
前記吸入筒下端とインペラー下蓋に、インペラー停止時、回転部分を持上げるだけの反発力を有する磁石装置を取付けた１〜３のいずれかに記載のコンタミの発生しない非接触ポンプ。
【請求項５】
本体ケーシングとインペラーケーシング上蓋を連結している複数本のボルトを外して、前記本体ケーシング及び前記内キャン底より前記調整管を取外せば、前記インペラー、前記ローター及び前記内外キャンを取出せる構造とした１〜４のいずれかに記載のコンタミの発生しない非接触ポンプ。
【手続補正書】
【提出日】平成17年10月28日(2005.10.28)
【手続補正１】
【補正対象書類名】明細書
【補正対象項目名】００１４
【補正方法】変更
【補正の内容】
【００１４】
この構成において、低サイドローブパターンを形成し不要波が到来する角度にナル点を形成する場合、ウェイト演算回路６において理想的な低サイドローブパターン７を形成する励振分布ベクトルＷO＝〔ＷO1・・・ＷON〕を算出し、主ビーム角度方向θ0のアレー合成電界パターンをＥO （θ0）、主ビーム角度方向がナル点形成角度θm の利得最大アレー合成電界パターンをＥm （θm ）、ナル点数をＫ、Ｋ番目のナル点を形成する励振分布をＷKNとし、上記算出した低サイドローブパターンのナル点角度と不要波到来角度にナル点を同時に形成する励振分布ベクトルＷ＝〔Ｗ1・・・ＷN〕を”数５”によって算出し、各ウェイト乗算回路４に設定する。
【手続補正書】
【提出日】平成16年10月13日(2004.10.13)
【手続補正１】
【補正対象書類名】明細書
【補正対象項目名】特許請求の範囲
【補正方法】変更
【補正の内容】
【特許請求の範囲】
【請求項１】
（ａ）分割領域によって区画された複数のチップ形成領域を有する半導体ウエハであって、前記複数のチップ形成領域の各々が複数の半導体素子と複数のボンディングパッドとを有する半導体ウエハを準備する工程、
（ｂ）前記チップ形成領域の各々の複数のボンディングパッドに電気的に接続された導体部を形成する工程、
（ｃ）前記分割領域に溝部を形成する工程、
（ｄ）前記溝部内を含む前記半導体ウエハの主面上に封止用絶縁膜を形成する工程、
（ｅ）前記半導体ウエハを前記溝部に沿って切断することにより、前記導体部が形成され、前記封止用絶縁膜の一部が側面に形成された複数の半導体チップを形成する工程、
を含むことを特徴とする半導体装置の製造方法。
【請求項２】
（ａ）分割領域によって区画された複数のチップ形成領域を有する半導体ウエハであって、前記複数のチップ形成領域の各々が複数の半導体素子と複数のボンディングパッドとを有する半導体ウエハを準備する工程、
（ｂ）前記チップ形成領域の各々の複数のボンディングパッドに電気的に接続された導体部を形成する工程、
（ｃ）前記分割領域に溝部を形成する工程、
（ｄ）前記溝部内を含む前記半導体ウエハの主面上に封止用絶縁膜を形成する工程、
（ｅ）前記半導体ウエハの裏面を研磨し、前記溝部内に形成した封止用絶縁膜を前記溝部の底面から前記半導体ウエハの裏面に露出させる工程、
（ｆ）前記半導体ウエハを前記溝部に沿って切断することにより、前記導体部が形成され、前記封止用絶縁膜の一部が側面に形成された複数の半導体チップを形成する工程、
を含むことを特徴とする半導体装置の製造方法。
【請求項３】
請求項１または２記載の半導体装置の製造方法であって、前記複数の半導体チップを形成する前に前記半導体ウエハの主面上の端子位置に半田バンプを電気的に接続する工程を含むことを特徴とする半導体装置の製造方法。
【請求項４】
半導体チップの主面上に複数の半導体素子が形成された半導体装置であって、前記半導体チップの上面および側面が封止用絶縁膜で覆われ、下面には前記半導体チップの底面が露出する構造を有することを特徴とする半導体装置。
【請求項５】
請求項４記載の半導体装置であって、前記半導体チップの側面の一部または全面が封止用絶縁膜で覆われた構造を有することを特徴とする半導体装置。
【請求項６】
請求項４または５記載の半導体装置であって、前記半導体チップは封止用絶縁膜で覆われた後、下面が研磨された構造を有することを特徴とする半導体装置。
【請求項７】
（ａ）分割領域によって区画された複数のチップ形成領域を有する半導体ウエハであって、前記複数のチップ形成領域の各々が複数の半導体素子と複数のボンディングパッドとを有する半導体ウエハを準備する工程、
（ｂ）前記チップ形成領域の各々の複数のボンディングパッドに接続される配線層を形成する工程、
（ｃ）前記配線層にメタルポストを形成する工程、
（ｄ）前記半導体ウエハの主面上に前記メタルポストの上面が露出するように封止用絶縁膜を形成する工程、
（ｅ）前記露出したメタルポスト上面に半田バンプを形成する工程、
（ｆ）前記半導体ウエハを切断することにより、複数の半導体チップを形成する工程、
を含むことを特徴とする半導体装置の製造方法。
【手続補正書】
【提出日】平成16年3月18日(2004.3.18)
【手続補正１】
【補正対象書類名】明細書
【補正対象項目名】符号の説明
【補正方法】変更
【補正の内容】
【符号の説明】
１０ ＩＩＩ−Ｖ族化合物半導体ＬＥＤ
１０ａ ｐｎ接合型ダブルヘテロ接合発光部
１０ｂ ＬＥＤチップの外縁
１０１ 単結晶基板
１０２ 緩衝層
１０３ ブラッグ反射層
１０４ 下部クラッド層
１０５ 発光層
１０６ 上部クラッド層
１０６ａ 開放発光領域
１０７ 導電性電極
１０８ 窓層
１０９ 台座電極
１０９ａ 台座電極の射影領域
１１０ 帯状導電性電極
１１１ 枝状導電性電極
１１２ 枠状導電性電極
１１２ａ 第１の金属枠電極
１１２ｂ 第２の金属枠電極
１１３ 基板裏面電極
ｄ 隣接する導電性電極間の間隔
Ｃ ＬＥＤチップの中心線
Ｌ ＬＥＤチップの対角線
Ｍ ＬＥＤチップ（台座電極）の中心点
Ｑ ＬＥＤチップのサイズ
Ｒ 台座電極の平面形状の中心点Ｍより導電性電極の形状中心に至る距離
２Ａ 積層構造体
２０ ＡｌＧａＩｎＰ系ＬＥＤ
３０ ＡｌＧａＩｎＰ系ＬＥＤ
４０ ＡｌＧａＩｎＰ系ＬＥＤ
５０ ＧａＮ系ＬＥＤ
２０ａ ＬＥＤチップの中心線
３０ａ ＬＥＤチップの中心線
２０ｂ ＬＥＤチップの外縁
３０ｂ ＬＥＤチップの外縁
２０ｃ ＬＥＤチップの対角線
３０ｃ ＬＥＤチップの対角線
２０１ ｐ形方ＧａＡｓ単結晶基板
２０２ ｐ形ＧａＡｓ緩衝層
２０３ ブラッグ反射層
２０４ ＡｌＧａＩｎＰ系下部クラッド層
２０５ ＡｌＧａＩｎＰ系発光層
２０６ ＡｌＧａＩｎＰ系上部クラッド層
２０６ａ 開放発光領域
２０７ａ 小型導電性電極
２０７ｂ 小型導電性電極
２０７ｃ 第１の円弧状導電性電極
２０７ｄ 第２の円弧状導電性電極
２０８ 導電性透明酸化物窓層
２０９ 台座電極
２０９ａ 台座電極の射影領域
２１０ ｐ形導電性電極
２１１ 帯状導電性電極
２１２ 枠状導電性電極
３Ａ 積層構造体
３０１ 導電性Ｓｉ単結晶基板
３０２ ＢＰ低温緩衝層
３０３ ＢＰ高温緩衝層
３０４ ｎ形ＧａＮ下部クラッド層
３０５ ＧａＩｎＮ発光層
３０６ ＡｌＧａＮ組成勾配上部クラッド層
３０６ａ 開放発光領域
３０７ 小型導電性電極
３０８ 導電性透明酸化物窓層
３０９ 台座電極
３０９ａ 台座電極の射影領域
３１０ ｎ形導電性電極
３１１ 帯状導電性電極
３１２ 枝状導電性電極
３１３ 枠状導電性電極


【手続補正２】
【補正対象書類名】図面
【補正対象項目名】図２７
【補正方法】変更
【補正の内容】
【図２７】
2001144330.tif 000001
【手続補正書】
【提出日】平成17年4月19日(2005.4.19)
【手続補正１】
【補正対象書類名】明細書
【補正対象項目名】請求項１
【補正方法】変更
【補正の内容】
【請求項１】
音声データを送受信する携帯電話機であって、
当該携帯電話機に加えられる加速度を検出する加速度検出手段と、
前記加速度検出手段によって得られた加速度データに基づき実測加速度パターンを得る加速度解析手段と、
類型化した複数の加速度パターンを予め記憶している第１の記憶手段と、
予め設定された携帯電話機の複数の動作モードを記憶している第２の記憶手段と、
前記実測加速度パターンが、前記第１の記憶手段に記憶された複数の加速度パターンのうちのいずれに対応するかを判別する判別手段と、
前記第２の記憶手段に記憶された前記動作モードのうちから、前記判別手段が判別した対応する加速度パターンに関係づけられた、特定の動作を当該携帯電話機に実施させる制御手段とを備える、携帯電話機。
【手続補正２】
【補正対象書類名】明細書
【補正対象項目名】００１４
【補正方法】変更
【補正の内容】
【００１４】
【課題を解決するための手段】
請求項１の携帯電話機は、音声データを送受信するものであり、当該携帯電話機に加えられる加速度を検出する加速度検出手段と、その加速度検出手段によって得られた加速度データに基づき実測加速度パターンを得る加速度解析手段とを有している。また、この携帯電話機は類型化した複数の加速度パターンを予め記憶している第１の記憶手段と、予め設定された携帯電話機の複数の動作モードを記憶している第２の記憶手段とを有している。この携帯電話機は、さらに、実測加速度パターンが第１の記憶手段に記憶された複数の加速度パターンのうちのいずれに対応するかを判別する判別手段と、第２の記憶手段に記憶された動作モードのうちから、判別手段が判別した対応する加速度パターンに関係づけられた特定の動作モードを当該携帯電話機に実施させる制御手段とを備えている。